【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
反磁性反発によって促進される皮膚ケア活性薬剤の拡散により、前記活性薬剤を含むビヒクル、ゲルもしくは溶媒から、角質層または表皮内へ送達する方法であって、
前記角質層または表皮を含むターゲットである皮膚バリアと、磁気リターンによって連結された転位した双極磁気要素の１対または複数対を含む磁気デバイスとの間に化粧用活性薬剤を適用するステップであって、前記磁気リターンが前記角質層または表皮より遠位側の双極子対の表面において配向しているステップを含み、
各々の磁極の磁束が約１０ガウス〜１０００ガウスの間であり、特定の空間領域における前記極が１．０ｍｍ〜５．０ｍｍ離れている、方法。
【請求項２】
磁気デバイスから離れる化粧用皮膚ケア活性薬剤の反磁性反発の増加によって、前記化粧用活性薬剤が存在しているビヒクル、ゲルもしくは溶媒からの、化粧用活性薬剤の運動性を増加させるための磁気デバイスの使用であって、
前記磁気デバイスが磁気リターンによって連結された転位した双極磁気要素の１対または複数対を含み、前記化粧用活性薬剤が、前記角質層または表皮を含むターゲットである皮膚バリアと、前記磁気デバイスとの間に適用され、前記磁気リターンが前記角質層または表皮より遠位側の双極子対の表面において配向しており、各々の磁極の磁束が約１０ガウス〜１０００ガウスの間であり、特定の空間領域における前記極が１．０ｍｍ〜５．０ｍｍ離れている、使用。
【請求項３】
磁気デバイスから離れる化粧用皮膚ケア活性薬剤の反磁性反発の増加によって、前記化粧用活性薬剤が存在しているビヒクル、ゲルもしくは溶媒からの、化粧用活性薬剤の運動性を増加させるための方法であって、
ａ）前記角質層または表皮を含む皮膚バリアと、磁気リターンによって連結された転位した双極磁気要素の１対または複数対を含む磁気デバイスとの間に前記活性薬剤を適用するステップを含み、前記磁気リターンが前記角質層または表皮より遠位側の双極子対の表面において配向しており、各々の磁極の磁束が約１０ガウス〜１０００ガウスの間であり、特定の空間領域における前記極が１．０ｍｍ〜５．０ｍｍ離れている、方法。
【請求項４】
処置を必要としている対象の角質層または表皮を含む皮膚バリアの処置における使用のための、化粧用皮膚ケア活性薬剤及び、前記活性薬剤が存在しているビヒクル、ゲルもしくは溶媒であって、
前記処置により、磁気リターンによって連結された転位した双極磁気要素の１対または複数対を含む磁気デバイスによる、反磁性反発によって促進される前記化粧用活性薬剤の拡散により前記活性薬剤の送達が促進され、
前記磁気リターンが前記化粧用活性薬剤が適用される前記角質層または表皮より遠位側の双極子対の表面において配向しており、各々の磁極の磁束が約１０ガウス〜１０００ガウスの間であり、特定の空間領域における前記極が１．０ｍｍ〜５．０ｍｍ離れている、化粧用皮膚ケア活性薬剤及び、前記活性薬剤が存在しているビヒクル、ゲルもしくは溶媒。
【請求項５】
化粧用皮膚ケア活性薬剤を、角質層または表皮を含む皮膚バリアに適用するために用いる化粧用皮膚ケアキットであって、
化粧用皮膚ケア活性薬剤と、
磁気リターンによって連結された転位した双極磁気要素の１対または複数対を含む磁気デバイスであって、前記磁気リターンが前記角質層または表皮より遠位側の双極子対の表面において配向しており、各々の磁極の磁束が約１０ガウス〜１０００ガウスの間であり、特定の空間領域における前記極が１．０ｍｍ〜５．０ｍｍ離れている、磁気デバイスと
を含むキット。
【請求項６】
前記磁気デバイスが、磁気リターンによって連結された転位した双極磁気要素の少なくとも２組の対を含み、前記磁気リターンが前記角質層または表皮より遠位側の双極子対の表面において配向しており、転位した双極磁気要素の第１の組の配列が転位した双極磁気要素の第２の組の配列に対して角度がオフセットしている、
請求項１または３に記載の方法、請求項２に記載の使用、請求項４に記載の使用のための皮膚ケア活性薬剤、または請求項５に記載のキット。
【請求項７】
前記磁気デバイスを往復方式で移動させ、それにより前記デバイスに近接した活性薬剤が前記往復または回転移動に応答して磁場の交互極性および交互磁力勾配に影響される、請求項１または３に記載の方法、請求項２に記載の使用、請求項４に記載の使用のための皮膚ケア活性薬剤、または請求項５に記載のキット。
【請求項８】
前記磁気デバイスが、前記角質層または表皮の上で前記磁気デバイスを移動させるための電子的または機械的手段を含む、請求項７に記載の方法、使用、使用のための皮膚ケア活性薬剤、またはキット。
【請求項９】
ａ）前記磁気デバイスの移動が約１Ｈｚ〜５Ｈｚの振動周波数を有し、前記磁石アレイの各々の要素によって発生する磁場の強度が約１００〜５００ガウスの間であるか、または
ｂ）前記磁気デバイスの移動が約１００〜８，０００Ｈｚの振動周波数を有し、前記磁石アレイの各々の要素によって発生する磁場の強度が約１００〜１０００ガウスの間である、
請求項７に記載の方法、使用、使用のための皮膚ケア活性薬剤、またはキット。
【請求項１０】
ａ）転位した双極磁気要素の各々の対が、１〜１０ｍｍの間の中心間に水平なオフセットを有し；及び／または、
ｂ）転位した双極磁気要素の各々の対が１ｃｍあたり２〜１０双極対の繰り返し割合で配置され；及び／または、
ｃ）各々の前記磁極の磁束が約１２５〜４５０ガウスの間であり；及び／または、
ｄ）反対極性の２つの隣接した極の磁束の間のデルタフラックスが約１００ガウス〜２０００ガウスの間である、
請求項１または３に記載の方法、請求項２に記載の使用、請求項４に記載の使用のための皮膚ケア活性薬剤、または請求項５に記載のキット。
【請求項１１】
双極対の第１の組の配向が双極子対の第２の組に対して約１°〜９０°である、請求項６に記載の方法、使用、使用のための皮膚ケア活性薬剤、またはキット。
【請求項１２】
双極対の第１の組の配向が双極子対の第２の組に対して少なくとも４５°である、請求項１１に記載の方法、使用、使用のための皮膚ケア活性薬剤、またはキット。
【請求項１３】
前記デバイスが、ブラシ、パッド、ローラーアプリケータまたはペンデバイスのいずれか１つの形態である、請求項１または３に記載の方法、請求項２に記載の使用、請求項４に記載の使用のための皮膚ケア活性薬剤、または請求項５に記載のキット。
【請求項１４】
ａ）前記活性薬剤が前記磁気デバイスの適用の前に前記角質層または表皮に適用され；または
ｂ）前記活性薬剤が前記磁気デバイスの前記皮膚バリアへの適用の前に前記磁気デバイスに適用される、
請求項１または３に記載の方法、請求項２に記載の使用、請求項４に記載の使用のための皮膚ケア活性薬剤、または請求項５に記載のキット。
【請求項１５】
前記活性薬剤が、加湿剤および軟化剤［閉塞剤、たとえば石油等の炭化水素、ジメチコン、シクロメチコン等のシリコーン含有薬剤、ラノリン酸またはラノリンアルコール等の脂肪酸およびアルコール、コレステロール等のステロール類、ココアバター、カルヌバワックスおよび蜜蝋等のワックスおよび油脂；保湿剤、たとえばヒアルロン酸等のグリコサミン類、グリセリン、蜂蜜、尿素、乳酸、α−ヒドロキシ酸、プロピレングリコールその他］；抗老化化合物［レチノイド類またはヒドロキシ酸類等］、消臭剤［アルコール系消臭剤を含む；トリクロサンまたは金属キレート化剤等の抗微生物剤を含む消臭剤；香料および精油］、制汗剤［塩化アルミニウム、アルミニウムクロロハイドレート、およびアルミニウム−ジルコニウム化合物（アルミニウムジルコニウムテトラクロロハイドレックスグリおよびアルミニウムジルコニウムトリクロロハイドレックスグリ）等のアルミニウム系化合物を含む；カリミョウバンおよびアンモニウムミョウバン］、香料［精油、麝香、アルコール類（たとえばフラネオール、メントール）、エステル類（たとえばフルクトン、エチルメチルフェニルグリシデート）、ケトン類（たとえばジヒドロジャスモン）、ラクトン類（たとえばココナッツ香、ジャスミンラクトン）等］、収斂剤［クローブ油、メントール、カンファー、ユーカリプタス油、ユージノール、メンチルラクテート、ウィッチヘーゼル蒸留物、アルミニウム系化合物その他］、皮膚美白剤［甘草、アスコルビルホスフェート、ヒドロキノンまたはコウジ酸その他］、日焼け防止剤（有機または無機）［アボベンゾン、オキシベンゾン、オクチルメトキシシンナメート、二酸化チタンまたは酸化亜鉛等］、角質除去剤（化学的または物理的）［Ｎ−アセチルグルコサミン、マンノースホスフェート、ヒドロキシ酸類、ラクトビオン酸、桃仁、または海塩その他］、セルフタンニング剤［ジヒドロキシアセトン等］、皮膚および粘膜表面用着色剤、膨化剤およびフィラー［ヒアルロン酸またはヒアルロン酸塩等］、アロエベラ等の他の薬剤、から選択される、請求項１または３に記載の方法、請求項２に記載の使用、請求項４に記載の使用のための化粧用皮膚ケア活性薬剤、または請求項５に記載の化粧用皮膚ケアキット。